(57)【要約】【目的】生産性を向上させたＰＯＴＳスプリッタの提供を目的とする。【構成】ＰＯＴＳスプリッタの音声信号を通過させるローパスフィルタ回路は、回線側より順に、２ラインにそれぞれ第１のインダクタンスＬ１，Ｌ１’、その後ろにライン間に入る直列接続する第１のコンデーサＣ１と第２のコンデンサＣ２、さらにラインそれぞれに第２のインダクタンスＬ２，Ｌ２’、ライン間に第３のコンデーサＣ３が入り、２段のＬＣフィルタ回路を構成し、電話機側へと音声信号が通過する。また、第１のインダクタンスＬ１，Ｌ１’と回線側との間の一方のラインと、ライン間を結ぶ前記直列接続するコンデンサＣ１とコンデンサＣ２の接続点が、直列接続のインダクタンスＬｒと抵抗Ｒｒにより接続されている。【選択図】　　　　図１
2004015578.tif 000002
【特許請求の範囲】
【請求項１】
ｘＤＳＬのデータ信号と音声信号を分離／混合するＰＯＴＳスプリッタにおいて、前記ＰＯＴＳスプリッタにおけるローパスフィルタ回路は、回線側より順に、２ラインにそれぞれ第１のインダクタンスＬ１，Ｌ１’、ライン間に直列接続する第１のコンデーサＣ１と第２のコンデンサＣ２、さらにラインにそれぞれ第２のインダクタンスＬ２，Ｌ２’、ライン間に第３のコンデーサＣ３、そしてラインは電話機側へと構成するものであって、回線側と第１のインダクタンスの間の片ラインと、前記第１のコンデーサＣ１と第２のコンデンサＣ２の接続点とが、直列接続する第３のインダクタンスＬｒ、抵抗Ｒｒにより接続されていることを特徴をするＰＯＴＳスプリッタ。
【発明の詳細な説明】
【０００１】
【発明の属する技術分野】
本発明は、高速データ通信のｘＤＳＬのデータ信号と音声信号を分離／合成するＰＯＴＳスプリッタに関するものである。
【０００２】
【従来の技術】
近年、高速通信技術のひとつである既設の電話回線網を使用したＡＤＳＬの普及がめざましい。ＡＤＳＬとは、Ａｓｙｍｍｅｔｒｉｃ　Ｄｉｇｉｔａｌ　Ｓｕｂｓｃｒｉｂｅｒ　Ｌｉｎｅであり、他に、ＳＤＳＬ（Ｓｙｍｍｅｔｒｉｃ　Ｄｉｇｉｔａｌ　Ｓｕｂｓｃｒｉｂｅｒ　Ｌｉｎｅ），ＶＤＳＬ（Ｖｅｒｙ　Ｈｉｇｈ　Ｓｐｅｅｄ　Ｄｉｇｉｔａｌ　Ｓｕｂｓｃｒｉｂｅｒ　Ｌｉｎｅ）などもあり、それらを総称して、ｘＤＳＬ或いはＤＳＬと言われ、既設の電話回線網を使用した高速データ通信技術である。
【０００３】
上記ＡＤＳＬは、音声信号（〜４ｋＨｚ）とデータ信号（４ｋＨｚ〜）の使用周波数帯域が異なるため、同時使用を可能としており、データ信号のスピードは下り：〜８Ｍｂｉｔ／ｓｅｃ．，上り：〜１Ｍｂｉｔ／ｓｅｃ．とアナログ，ＩＳＤＮに比べ高速なデータ通信を可能としている。
【０００４】
このＡＤＳＬを使用して、パソコンによるインターネットと電話機を使用する場合、ＰＯＴＳ（Ｐｌａｉｎ　Ｏｌｄ　Ｔｅｌｅｐｈｏｎｅ　Ｓｅｒｖｉｃｅ）スプリッタが必要である。該ＰＯＴＳスプリッタは、データ信号と音声信号を分離／合成するものであり、これにより前記インターネット通信と電話通話の同時使用を可能としている。
【０００５】
従来のＰＯＴＳスプリッタのローパスフィルタの略回路図を図２に示す。図２の回路は、特開平２００１−２８５００３に開示されたスプリッタ用のローパスフィルタ回線であり、回線側から順に、ラインにそれぞれ第１のインダクタンスＬ１，Ｌ１’、ライン間に接続する第１のコンデンサＣ１、その後ろにラインにそれぞれ第２のインダクタンスＬ２，Ｌ２’、ライン間に接続する第２のコンデンサＣ２とからなる２段のＬＣ回路を構成する。また、回線側と第１のインダクタンスＬ１，Ｌ１’の間には、直列接続した抵抗Ｒｒ、コンデンサＣｒ、インダクタンスＬｒがライン間に接続し、該抵抗Ｒｒ、コンデンサＣｒ、インダクタンスＬｒにより、音声信号通過帯域の高域側にて損失する信号成分の利得を補償し、音声信号通過帯域の周波数特性を改善した、優れたスプリッタ用ローパスフィルタ回路としている。
【０００６】
【発明が解決しようとする課題】
しかしながら、特開２００１−２８５００３号により開示された回路構成では、各素子の特性バラツキによるローパスフィルタ特性の影響が大きく、そのため各素子の特性値の管理が厳しく、特にインダクタンスについては、構成部品である磁心、コイルの巻き方により特性がバラツキ、その変化要因はコンデンサ，抵抗に比べ大きく、そのために前記構成部品では、素子状態よりさらに厳しい特性管理が要求され、歩留まりの低下を招いていた。
【０００７】
本発明は、上記説明の従来の問題点を鑑み、特にローパスフィルタ回路のインダクタンスの生産性を向上させ、価格低減を可能とするスプリッタの提供を目的としたものである。
【０００８】
【課題を解決するための手段】
本発明は、ｘＤＳＬのデータ信号と音声信号を分離／混合するＰＯＴＳスプリッタにおいて、前記ＰＯＴＳスプリッタにおけるローパスフィルタ回路は、回線側より順に、２ラインにそれぞれ第１のインダクタンスＬ１，Ｌ１’、ライン間に直列接続する第１のコンデーサＣ１と第２のコンデンサＣ２、さらにラインにそれぞれ第２のインダクタンスＬ２，Ｌ２’、ライン間に第３のコンデーサＣ３、そしてラインは電話機側へと構成するものであって、回線側と第１のインダクタンスの間の片ラインと、前記第１のコンデーサＣ１と第２のコンデンサＣ２の接続点とが、直列接続する第３のインダクタンスＬｒ、抵抗Ｒｒにより接続されているＰＯＴＳスプリッタである。
【０００９】
本発明は、上記説明の回路構成により、特にインダクタンスの特性公差を広く取ることができ、品質管理体制の軽減及び、生産性の向上、歩留まり向上を可能とした。
【００１０】
【発明の実施の形態】
図を用いて本発明の実施形態を説明する。本発明のＰＯＴＳスプリッタは、音声信号を通過させるローパスフィルタ回路が、図１に示す回路構成である。回線側より順に、２ラインにそれぞれ第１のインダクタンスＬ１，Ｌ１’、その後ろにライン間の直列接続する第１のコンデーサＣ１と第２のコンデンサＣ２、さらにラインそれぞれに第２のインダクタンスＬ２，Ｌ２’、ライン間に第３のコンデーサＣ３が入り、２段のＬＣフィルタ回路を構成し、電話機側へと音声信号が通過させるものである。
【００１１】
本発明では、音声信号通過帯域の高域側の利得補償回路が、第１のインダクタンスＬ１，Ｌ１’と回線側との間の一方のラインと、ライン間に接続する直列接続する上記コンデンサＣ１とコンデンサＣ２の接続点を接続する直列接続のインダクタンスＬｒと抵抗Ｒｒと、前記コンデンサＣ１及びコンデンサＣ２により構成するものである。
【００１２】
上記回路構成により、本発明は図２に示した従来技術の回路構成における各素子の特性値公差を広く設けることができ、素子及び構成部品の生産性を向上させ、更なるＰＯＴＳスプリッタのコスト低減を可能とした。
【００１３】
【実施例】
従来例と比較して、本発明の一実施例を説明する。本発明のＰＯＴＳスプリッタのローパスフィルタ回路は、図１に示す回路構成。従来例のＰＯＴＳスプリッタのローパスフィルタ回路は図２の回路構成とした。なお、ハイパスフィルタは共に図示していないが、以下に示す評価において、共に優劣のおきないハイパスフィルタを設けて実施した。また、それぞれの回路における各素子の特性値は、ＩＴＵ−Ｔ規格のＧ．９９２．１（Ｇ．ｄｔｍ）ＡｎｎｅｘＥ　Ｅ．４Ｔｙｐｅ４を満足する特性値である。
【００１４】
【表１】
2004015578.tif 000003
【００１５】
表１より、インダクタンスＬ１，Ｌ１’及びインダクタンスＬ２，Ｌ２’の特性範囲が従来例に比べ、より広い特性公差範囲で、ＩＴＵ−Ｔ規格のＧ．９９２．１（Ｇ．ｄｔｍ）ＡｎｎｅｘＥ　Ｅ．４Ｔｙｐｅ４を満足していることがわかる。また、従来技術して記載した特開２００１−２８５００３に開示された各素子の特性公差範囲±１０％に比較しても、本発明の特性公差範囲が広いことがわかる。
【００１６】
すなわち、従来技術においてインダクタンスというコイル製品状態で特性公差が±１０％必要な場合、構成部品のひとつである磁心では前記製品状態の公差より狭い特性公差範囲が必須であり、仮に磁心状態での公差範囲を製品の半分とすれば±５％となる。一方、本発明は実施例に示すとおり、インダクタンスというコイル製品状態で特性公差が±２０％を超える範囲であっても、ＩＴＵ−Ｔ規格のＧ．９９２．１（Ｇ．ｄｔｍ）ＡｎｎｅｘＥ　Ｅ．４Ｔｙｐｅ４を満足するものであり、前記従来例と同じく磁心状態での特性公差範囲を設けた場合、±１０％となり、磁心の生産性を向上させることができ、コイル製品としての許容特性範囲が広くなり、生産性を飛躍的に向上させることができ、ＰＯＴＳスプリッタの価格低減を可能とすることができた。
【００１７】
なお、本発明のＰＯＴＳスプリッタはｘＤＳＬサービス利用者側（端末側）について説明しているが、本発明はｘＤＳＬサービス提供側の局内交換機に設けるＰＯＴＳスプリッタに使用できることはもちろんである。また、実施例における各素子の特性値は限定されるものでなく、適切な特性値に決定すればよく、その条件においても本発明の効果が得られる。
【００１８】
【発明の効果】
以上説明のとおり、本発明によるＰＯＴＳスプリッタのローパスフィルタの各素子、特にインダクタンスの特性公差を従来より大幅に拡大することができ、構成部品を含めた各素子の歩留まりが改善でき生産性が向上し、さらに、それによってＰＯＴＳスプリッタの低価格化を可能とした。
【図面の簡単な説明】
【図１】本発明のＰＯＴＳスプリッタのローパスフィルタの略回路図
【図２】従来のＰＯＴＳスプリッタのローパスフィルタの略回路図
【符号の説明】
Ｌ１，Ｌ１’，Ｌ２，Ｌ２’，Ｌｒ　インダクタンス
Ｃ１，Ｃ２，Ｃ３　コンデンサ
Ｒｒ　抵抗
【図１】
2004015578.tif 000004
【図２】
2004015578.tif 000005